(57)【要約】  通信制御方法は、ｅＮＢ２００が、複数のキャリアに含まれる第１のキャリアを用いて、ページングメッセージをＵＥ１００に送信するステップＳ１と、ＵＥ１００が、ページングメッセージを受信するステップＳ２と、ＵＥ１００が、複数のキャリアに含まれる第２のキャリアを選択するステップＳ３と、ＵＥ１００が、第２のキャリアを用いて、ｅＮＢ２００との接続を確立するためのランダムアクセス信号を送信するステップＳ４と、を含む。ページングメッセージは、第２のキャリアの選択に用いるチャネル識別情報を含む。ステップＳ３において、ＵＥ１００は、ページングメッセージに含まれるチャネル識別情報に基づいて、第２のキャリアを選択する。
2018173677.tif 000002
【特許請求の範囲】
【請求項１】
移動通信システムにおいて用いられる通信制御方法であって、
基地局が、複数の周波数チャネルに含まれる第１の周波数チャネルを用いて、ページングメッセージを無線端末に送信するステップＡと、
前記無線端末が、前記ページングメッセージを受信するステップＢと、
前記無線端末が、前記複数の周波数チャネルに含まれる第２の周波数チャネルを選択するステップＣと、
前記無線端末が、前記第２の周波数チャネルを用いて、前記基地局との接続を確立するためのランダムアクセス信号を送信するステップＤと、を含み、
前記ページングメッセージは、前記第２の周波数チャネルの選択に用いるチャネル識別情報を含み、
前記ステップＣにおいて、前記無線端末は、前記ページングメッセージに含まれる前記チャネル識別情報に基づいて、前記第２の周波数チャネルを選択する
通信制御方法。
【請求項２】
前記ページングメッセージは、前記ページングメッセージが宛てられた複数の無線端末を示す複数の宛先識別子をさらに含み、
前記チャネル識別情報は、前記複数の宛先識別子に共通に適用される共通情報である
請求項１に記載の通信制御方法。
【請求項３】
前記ページングメッセージは、前記ページングメッセージが宛てられた複数の無線端末を示す複数の宛先識別子をさらに含み、
前記チャネル識別情報は、前記複数の宛先識別子のそれぞれに個別に適用される専用情報であり、
前記ステップＣにおいて、前記無線端末は、前記無線端末の識別子に対応する前記チャネル識別情報を前記ページングメッセージの中から特定し、特定したチャネル識別情報に基づいて前記第２の周波数チャネルを選択する
請求項１に記載の通信制御方法。
【請求項４】
前記チャネル識別情報は、前記第２の周波数チャネルとして用いるべき１つの周波数チャネルを示す情報であり、
前記ステップＣにおいて、前記無線端末は、前記チャネル識別情報が示す前記１つの周波数チャネルを前記第２の周波数チャネルとして選択する
請求項１に記載の通信制御方法。
【請求項５】
前記チャネル識別情報は、前記第２の周波数チャネルとして用いることが許容される複数の周波数チャネルを示す情報であり、
前記ステップＣにおいて、前記無線端末は、前記チャネル識別情報が示す前記複数の周波数チャネルの中から前記第２の周波数チャネルとして用いる周波数チャネルを選択する
請求項１に記載の通信制御方法。
【請求項６】
前記チャネル識別情報は、前記第２の周波数チャネルとして用いることが禁止される１又は複数の周波数チャネルを示す情報であり、
前記ステップＣにおいて、前記無線端末は、前記チャネル識別情報が示す前記１又は複数の周波数チャネル以外の周波数チャネルの中から前記第２の周波数チャネルとして用いる周波数チャネルを選択する
請求項１に記載の通信制御方法。
【請求項７】
前記ページングメッセージは、前記ランダムアクセス信号に適用するランダムアクセス信号パラメータをさらに含み、
前記ランダムアクセス信号パラメータは、信号系列及び無線リソースのうち少なくとも１つを示し、
前記ステップＤにおいて、前記無線端末は、前記第２の周波数チャネルを用いて、前記ページングメッセージに含まれる前記ランダムアクセス信号パラメータが適用された前記ランダムアクセス信号を送信する
請求項１に記載の通信制御方法。
【請求項８】
移動通信システムにおいて用いられる無線端末であって、
基地局から、複数の周波数チャネルに含まれる第１の周波数チャネルを用いて送信されたページングメッセージを受信する受信部と、
前記複数の周波数チャネルに含まれる第２の周波数チャネルを選択する制御部と、
前記第２の周波数チャネルを用いて、前記基地局との接続を確立するためのランダムアクセス信号を送信する送信部と、を備え、
前記ページングメッセージは、前記第２の周波数チャネルの選択に用いるチャネル識別情報を含み、
前記制御部は、前記ページングメッセージに含まれる前記チャネル識別情報に基づいて、前記第２の周波数チャネルを選択する
無線端末。
【請求項９】
移動通信システムにおいて用いられる基地局であって、
複数の周波数チャネルに含まれる第１の周波数チャネルを用いて、ページングメッセージを無線端末に送信する送信部を備え、
前記ページングメッセージは、前記複数の周波数チャネルに含まれる第２の周波数チャネルを前記無線端末が選択するために用いるチャネル識別情報を含み、
前記第２の周波数チャネルは、前記基地局との接続を確立するためのランダムアクセス信号の送信に用いられる
基地局。
【発明の詳細な説明】
【技術分野】
【０００１】
本発明は、移動通信システムのための通信制御方法、無線端末、及び基地局に関する。
【背景技術】
【０００２】
近年、人が介在することなく通信を行うＭＴＣ（Ｍａｃｈｉｎｅ  Ｔｙｐｅ  Ｃｏｍｍｕｎｉｃａｔｉｏｎ）及びＩｏＴ（Ｉｎｔｅｒｎｅｔ  ｏｆ  Ｔｈｉｎｇｓ）サービスを対象とした無線端末が注目されている。このような無線端末は、低コスト化、カバレッジ広域化、及び低消費電力化を実現することが求められる。このため、３ＧＰＰ（３ｒｄ  Ｇｅｎｅｒａｔｉｏｎ  Ｐａｒｔｎｅｒｓｈｉｐ  Ｐｒｏｊｅｃｔ）において、システム送受信帯域の一部のみに送受信帯域幅を制限した新たな無線端末のカテゴリが仕様化されている。このような新たなカテゴリの無線端末には、繰り返し送信（ｒｅｐｅｔｉｔｉｏｎ）等を含む強化カバレッジ（ｅｎｈａｎｃｅｄ  ｃｏｖｅｒａｇｅ）機能が適用される。
【先行技術文献】
【非特許文献】
【０００３】
【非特許文献１】３ＧＰＰ技術仕様書  「ＴＳ  ３６．３００  Ｖ１４．１．０」  ２０１６年１２月
【発明の概要】
【０００４】
一実施形態に係る通信制御方法は、移動通信システムにおいて用いられる。前記通信制御方法は、基地局が、複数の周波数チャネルに含まれる第１の周波数チャネルを用いて、ページングメッセージを無線端末に送信するステップＡと、前記無線端末が、前記ページングメッセージを受信するステップＢと、前記無線端末が、前記複数の周波数チャネルに含まれる第２の周波数チャネルを選択するステップＣと、前記無線端末が、前記第２の周波数チャネルを用いて、前記基地局との接続を確立するためのランダムアクセス信号を送信するステップＤと、を含む。前記ページングメッセージは、前記第２の周波数チャネルの選択に用いるチャネル識別情報を含む。前記ステップＣにおいて、前記無線端末は、前記ページングメッセージに含まれる前記チャネル識別情報に基づいて、前記第２の周波数チャネルを選択する。
【０００５】
一実施形態に係る無線端末は、移動通信システムにおいて用いられる。前記無線端末は、基地局から、複数の周波数チャネルに含まれる第１の周波数チャネルを用いて送信されたページングメッセージを受信する受信部と、前記複数の周波数チャネルに含まれる第２の周波数チャネルを選択する制御部と、前記第２の周波数チャネルを用いて、前記基地局との接続を確立するためのランダムアクセス信号を送信する送信部と、を備える。前記ページングメッセージは、前記第２の周波数チャネルの選択に用いるチャネル識別情報を含む。前記制御部は、前記ページングメッセージに含まれる前記チャネル識別情報に基づいて、前記第２の周波数チャネルを選択する。
【０００６】
一実施形態に係る基地局は、移動通信システムにおいて用いられる。前記基地局は、複数の周波数チャネルに含まれる第１の周波数チャネルを用いて、ページングメッセージを無線端末に送信する送信部を備える。前記ページングメッセージは、前記複数の周波数チャネルに含まれる第２の周波数チャネルを前記無線端末が選択するために用いるチャネル識別情報を含む。前記第２の周波数チャネルは、前記基地局との接続を確立するためのランダムアクセス信号の送信に用いられる。
【図面の簡単な説明】
【０００７】
【図１】実施形態に係るＬＴＥシステム（移動通信システム）の構成を示す図である。
【図２】実施形態に係るＵＥ（無線端末）の構成を示す図である。
【図３】実施形態に係るｅＮＢ（基地局）の構成を示す図である。
【図４】実施形態に係るＬＴＥシステムにおける無線インターフェイスのプロトコルスタックを示す図である。
【図５】実施形態に係るＬＴＥシステムの無線フレームの構成を示す図である。
【図６】実施形態に係るｅＭＴＣ  ＵＥ及びＮＢ−ＩｏＴ  ＵＥが取り扱う周波数チャネルを示す図である。
【図７】３ＧＰＰリリース１３仕様におけるＮＢ−ＩｏＴ  ＵＥのページング及びランダムアクセスの一例を示す図である。
【図８】３ＧＰＰリリース１４仕様におけるＮＢ−ＩｏＴ  ＵＥのページング及びランダムアクセスの一例を示す図である。
【図９】ＮＢ−ＩｏＴ  ＵＥ向けのランダムアクセスプロシージャの一例を示す図である。
【図１０】実施形態に係る動作シナリオを示す図である。
【図１１】実施形態に係る動作フローを示す図である。
【図１２】実施形態に係る動作シーケンスの一例を示す図である。
【発明を実施するための形態】
【０００８】
（１）移動通信システム
実施形態に係る移動通信システムの構成について説明する。図１は、実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づく移動通信システムである。
【０００９】
ＬＴＥシステムは、無線端末（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１０】
ＵＥ１００は、移動型の通信装置である。ＵＥ１００は、自身が在圏するセル（サービングセル）を管理するｅＮＢ２００との無線通信を行う。
【００１１】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。
【００１２】
ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。Ｓ−ＧＷは、データの転送制御を行う。ＭＭＥ及びＳ−ＧＷは、Ｓ１インターフェイスを介してｅＮＢ２００と接続される。
【００１３】
図２は、ＵＥ１００（無線端末）の構成を示す図である。ＵＥ１００は、受信部１１０、送信部１２０、及び制御部１３０を備える。
【００１４】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１５】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１６】
制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００１７】
図３は、ｅＮＢ２００（基地局）の構成を示す図である。ｅＮＢ２００は、送信部２１０、受信部２２０、制御部２３０、及びバックホール通信部２４０を備える。
【００１８】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００１９】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２０】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２１】
バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２２】
図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２３】
ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２４】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２５】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００２６】
ＰＤＣＰレイヤは、ヘッダ圧縮・伸張、及び暗号化・復号化を行う。
【００２７】
ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００２８】
ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００２９】
図５は、ＬＴＥシステムにおいて用いられる無線フレームの構成を示す図である。無線フレームは、時間軸上で１０個のサブフレームで構成される。各サブフレームは、時間軸上で２個のスロットで構成される。各サブフレームの長さは１ｍｓである。各スロットの長さは０．５ｍｓである。各サブフレームは、周波数軸上で複数個のリソースブロック（ＲＢ）を含む。各サブフレームは、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３０】
下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００３１】
上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００３２】
（２）ｅＭＴＣ及びＮＢ−ＩｏＴの概要
ｅＭＴＣ及びＮＢ−ＩｏＴの概要について説明する。実施形態において、ＭＴＣ及びＩｏＴサービスを対象とした新たなカテゴリのＵＥ１００が存在するシナリオを想定する。新たなカテゴリのＵＥ１００は、システム送受信帯域（ＬＴＥ送受信帯域幅）の一部のみに送受信帯域幅が制限されるＵＥ１００である。新たなＵＥカテゴリは、例えば、カテゴリＭ１及びカテゴリＮＢ（Ｎａｒｒｏｗ  Ｂａｎｄ）−ＩｏＴと称される。カテゴリＭ１は、ｅＭＴＣ（ｅｎｈａｎｃｅｄ  Ｍａｃｈｉｎｅ  Ｔｙｐｅ  Ｃｏｍｍｕｎｉｃａｔｉｏｎｓ）ＵＥが属するカテゴリである。カテゴリＮＢ−ＩｏＴ（カテゴリＮＢ１）は、ＮＢ−ＩｏＴ  ＵＥが属するカテゴリである。カテゴリＭ１は、ＵＥ１００（ｅＭＴＣ  ＵＥ）の送受信帯域幅を１．０８ＭＨｚ（すなわち、６リソースブロックの帯域幅）に制限する。カテゴリＮＢ−ＩｏＴ（カテゴリＮＢ１）は、ＵＥ１００（ＮＢ−ＩｏＴ  ＵＥ）の送受信帯域幅を１８０ｋＨｚ（すなわち、１リソースブロックの帯域幅）にさらに制限する。このような狭帯域化により、ｅＭＴＣ  ＵＥ及びＮＢ−ＩｏＴ  ＵＥに要求される低コスト化及び低消費電力化が実現可能となる。以下において、ｅＭＴＣ  ＵＥ及びＮＢ−ＩｏＴ  ＵＥが対応可能な１つの周波数帯域を「周波数チャネル」と称する。
【００３３】
図６は、ｅＭＴＣ  ＵＥ及びＮＢ−ＩｏＴ  ＵＥが取り扱う周波数チャネルを示す図である。図６に示すように、ＬＴＥシステムのシステム周波数帯域の周波数帯域幅は１０ＭＨｚであり得る。システム送受信帯域の帯域幅は、例えば、５０リソースブロック＝９ＭＨｚである。ｅＭＴＣ  ＵＥが対応可能な周波数チャネルの帯域幅は、６リソースブロック＝１．０８ＭＨｚ以内である。ｅＭＴＣ  ＵＥが対応可能な６リソースブロック以内の周波数チャネルは、「狭帯域（ＮＢ：Ｎａｒｒｏｗ  Ｂａｎｄ）」と称される。ＮＢ−ＩｏＴ  ＵＥが対応可能な周波数チャネルの帯域幅は、１リソースブロック＝１８０ｋＨｚである。ＮＢ−ＩｏＴ  ＵＥが対応可能な１リソースブロックの周波数チャネルは、「キャリア（ｃａｒｒｉｅｒ）」と称される。
【００３４】
ｅＭＴＣ  ＵＥは、ＬＴＥ送受信帯域幅内で運用される。ＮＢ−ＩｏＴ  ＵＥは、ＬＴＥ送受信帯域幅内で運用される形態、ＬＴＥ送受信帯域幅外のガードバンドで運用される形態、及びＮＢ−ＩｏＴ専用の周波数帯域内で運用される形態をサポートする。
【００３５】
ｅＭＴＣ  ＵＥ及びＮＢ−ＩｏＴ  ＵＥは、カバレッジ広域化（カバレッジ強化）を実現するために、繰り返し送信等を用いた強化カバレッジ（ＥＣ：Ｅｎｈａｎｃｅｄ  Ｃｏｖｅｒａｇｅ）機能をサポートする。強化カバレッジ機能は、複数のサブフレームを用いて同一信号を繰り返し送信する繰り返し送信（ｒｅｐｅｔｉｔｉｏｎ）を含んでもよい。繰り返し送信の回数が多いほど、カバレッジを強化することができる。強化カバレッジ機能は、送信信号の電力密度を上げる電力ブースト（ｐｏｗｅｒ  ｂｏｏｓｔｉｎｇ）を含んでもよい。一例として、送信信号の周波数帯域幅を狭くする狭帯域送信により電力密度を上げる。送信信号の電力密度を上げるほど、カバレッジを強化することができる。強化カバレッジ機能は、送信信号に用いるＭＣＳを下げる低ＭＣＳ（ｌｏｗｅｒ  ＭＣＳ）送信を含んでもよい。データレートが低く、誤り耐性の高いＭＣＳを用いて送信を行うことにより、カバレッジを強化することができる。
【００３６】
（３）ＮＢ−ＩｏＴ  ＵＥのページング及びランダムアクセス
ＮＢ−ＩｏＴ  ＵＥのページング及びランダムアクセスについて説明する。以下において、ＵＥ１００がＮＢ−ＩｏＴ  ＵＥである一例を説明する。しかしながら、ＵＥ１００は、ｅＭＴＣ  ＵＥであってもよい。ＵＥ１００がｅＭＴＣ  ＵＥである場合、「キャリア」を「狭帯域（ＮＢ）」と読み替えてもよい。
【００３７】
図７は、３ＧＰＰリリース１３仕様におけるＮＢ−ＩｏＴ  ＵＥのページング及びランダムアクセスの一例を示す図である。図７に示すように、ｅＮＢ２００は、複数のキャリアを管理する。複数のキャリアのそれぞれは、ＬＴＥ送受信帯域幅内、ＬＴＥ送受信帯域幅外のガードバンド内、又はＮＢ−ＩｏＴ専用の周波数帯域内で運用される。複数のキャリアは、アンカーキャリア（Ａｎｃｈｏｒ  ｃａｒｒｉｅｒ）及び非アンカーキャリア（Ｎｏｎ−ａｎｃｈｏｒ  ｃａｒｒｉｅｒ）を含む。アンカーキャリアは、ＵＥ１００がＮＰＳＳ（Ｎａｒｒｏｗｂａｎｄ  Ｐｒｉｍａｒｙ  Ｓｙｎｃｈｒｏｎｉｚａｔｉｏｎ  Ｓｉｇｎａｌ）、ＮＳＳＳ（Ｎａｒｒｏｗｂａｎｄ  Ｓｅｃｏｎｄａｒｙ  Ｓｙｎｃｈｒｏｎｉｚａｔｉｏｎ  Ｓｉｇｎａｌ）、ＮＰＢＣＨ（Ｎａｒｒｏｗｂａｎｄ  Ｐｈｙｓｉｃａｌ  Ｂｒｏａｄｃａｓｔ  ｃｈａｎｎｅｌ）、及びＳＩＢ−ＮＢ（Ｓｙｓｔｅｍ  Ｉｎｆｏｒｍａｔｉｏｎ  Ｂｌｏｃｋ−Ｎａｒｒｏｗ  Ｂａｎｄ）が送信されると想定するキャリアである。ＮＰＳＳ及びＮＳＳＳは、ＮＢ−ＩｏＴ  ＵＥ用の物理同期信号である。ＮＰＢＣＨは、ＮＢ−ＩｏＴ  ＵＥ用の物理ブロードキャストチャネルである。ＳＩＢ−ＮＢは、ＮＢ−ＩｏＴ  ＵＥ用のＳＩＢである。非アンカーキャリアは、ＵＥ１００がＮＰＳＳ、ＮＳＳＳ、ＮＰＢＣＨ、及びＳＩＢ−ＮＢが送信されると想定しないキャリアである。アンカーキャリアとして用いられ得るキャリアとして、仕様で定義されたキャリアの情報がＵＥ１００に事前設定されていてもよい。
【００３８】
３ＧＰＰリリース１３仕様において、ページング及びランダムアクセスプロシージャには、アンカーキャリアが用いられる。具体的には、ｅＮＢ２００は、アンカーキャリアを用いて、ＲＲＣアイドルモードにあるＵＥ１００宛てのページングメッセージを送信する。ＵＥ１００は、自身に宛てられたページングメッセージを受信する。ＵＥ１００は、ページングメッセージの受信に応じて、ＲＲＣコネクティッドモードに遷移するためのランダムアクセスプロシージャを開始する。具体的には、ＵＥ１００は、アンカーキャリアを用いて、ランダムアクセス信号をｅＮＢ２００に送信する。ランダムアクセス信号は、ランダムアクセスプリアンブルと称されてもよい。ＮＢ−ＩｏＴ  ＵＥがランダムアクセス信号の送信に用いる物理チャネルは、ＮＰＲＡＣＨ（Ｎａｒｒｏｗｂａｎｄ  Ｐｈｙｓｉｃａｌ  Ｒａｎｄｏｍ  Ａｃｃｅｓｓ  ｃｈａｎｎｅｌ）と称される。
【００３９】
ｅＮＢ２００は、ランダムアクセスプロシージャによりＲＲＣコネクティッドモードに遷移したＵＥ１００に対して、非アンカーキャリアを設定し得る。非アンカーキャリアが設定されたＵＥ１００は、ＲＲＣコネクティッドモードにある間は、非アンカーキャリアのみを用いてｅＮＢ２００との通信を行う。非アンカーキャリアには、同期信号、ページングメッセージ、及びブロードキャスト情報（ＳＩＢ）の送信用の無線リソースを不要とすることができる。よって、非アンカーキャリアは、アンカーキャリアに比べて、データ用の無線リソースを増加させることができる。
【００４０】
図８は、３ＧＰＰリリース１４仕様におけるＮＢ−ＩｏＴ  ＵＥのページング及びランダムアクセスの一例を示す図である。３ＧＰＰリリース１３仕様において、ページング及びランダムアクセスプロシージャには、アンカーキャリアだけではなく、非アンカーキャリアを用いることが可能である。具体的には、ｅＮＢ２００及びＵＥ１００は、ページングメッセージの宛先のＵＥ１００の識別子に基づいて、ページングメッセージの送受信に用いるキャリアを選択する。このような識別子としては、ＵＥ１００のＵＩＭ（Ｕｓｅｒ  Ｉｄｅｎｔｉｔｙ  Ｍｏｄｕｌｅ）に記憶されたＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）が用いられる。ＵＥ１００は、ＵＩＭまたはＩＭＳＩに基づいて選択されたキャリアを用いて、自身に宛てられたページングメッセージを受信する。ＵＥ１００は、ページングメッセージの受信に応じて、ＲＲＣコネクティッドモードに遷移するためのランダムアクセスプロシージャを開始する。具体的には、ＵＥ１００は、ランダムに選択したキャリアを用いて、ランダムアクセス信号（ＮＰＲＡＣＨ）をｅＮＢ２００に送信する。このようなキャリア選択方法を用いることにより、アンカーキャリアに負荷が集中することを回避し、非アンカーキャリアに負荷を分散することが可能である。
【００４１】
図９は、ＮＢ−ＩｏＴ  ＵＥ向けのランダムアクセスプロシージャの一例を示す図である。ＵＥ１００は、ＲＲＣコネクティッドモードに遷移するためにランダムアクセスプロシージャを実行する。
【００４２】
ＲＲＣアイドルモードにあるＵＥ１００は、ｅＮＢ２００のセルをサービングセルとして選択している。ＵＥ１００は、通常のカバレッジのための第１のセル選択基準（第１のＳ−ｃｒｉｔｅｒｉａ）が満たされず、強化カバレッジのための第２のセル選択基準（第２のＳ−ｃｒｉｔｅｒｉａ）が満たされた場合、自身が強化カバレッジに居ると判定してもよい。「強化カバレッジに居るＵＥ」とは、セルにアクセスするために強化カバレッジ機能（強化カバレッジモード）を用いることが必要とされるＵＥを意味する。
【００４３】
ステップＳ１００１において、ｅＮＢ２００は、ＮＰＲＡＣＨ関連情報をブロードキャストシグナリング（例えば、ＳＩＢタイプ２−ＮＢ）により送信する。ＮＰＲＡＣＨ関連情報は、強化カバレッジレベルごとに設けられた各種のパラメータを含む。一例として、強化カバレッジレベルは、強化カバレッジレベル０乃至３の合計４つのレベルが規定される。各種のパラメータは、ＲＳＲＰ（Ｒｅｆｅｒｅｎｃｅ  Ｓｉｇｎａｌ  Ｒｅｃｅｉｖｅｄ  Ｐｏｗｅｒ）閾値、ＮＰＲＡＣＨリソース、及び最大プリアンブル送信回数を含む。ＮＰＲＡＣＨリソースは、無線リソース（時間・周波数リソース）及び信号系列（プリアンブル系列）を含む。ＵＥ１００は、受信したＮＰＲＡＣＨ関連情報を記憶する。
【００４４】
ステップＳ１００２において、ＵＥ１００は、ｅＮＢ２００から送信される参照信号に基づいてＲＳＲＰを測定する。
【００４５】
ステップＳ１００３において、ＵＥ１００は、測定したＲＳＲＰを強化カバレッジレベルごとのＲＳＲＰ閾値と比較することにより、自身の強化カバレッジレベルを決定する。強化カバレッジレベルは、ＵＥ１００に必要とされる強化カバレッジの度合いを示す。強化カバレッジレベルは、少なくとも繰り返し送信における送信回数（すなわち、Ｒｅｐｅｔｉｔｉｏｎ回数）と関連する。
【００４６】
ステップＳ１００４において、ＵＥ１００は、自身の強化カバレッジレベルに対応するＮＰＲＡＣＨリソースを選択する。ＵＥ１００は、ｅＮＢ２００が管理する複数のキャリアのうち、ＮＰＲＡＣＨ送信（プリアンブル送信）に用いるキャリアを選択してもよい。ＮＰＲＡＣＨ送信（プリアンブル送信）に用いるキャリアは、予め定められたアンカーキャリア又はランダムに選択したキャリアであってもよい。
【００４７】
ステップＳ１００５において、ＵＥ１００は、選択したキャリア、且つ選択したＮＰＲＡＣＨリソースを用いて、Ｍｓｇ  １（ランダムアクセスプリアンブル）をｅＮＢ２００に送信する。ｅＮＢ２００は、受信したＭｓｇ  １に用いられたＮＰＲＡＣＨリソースに基づいて、ＵＥ１００の強化カバレッジレベルを特定する。
【００４８】
ステップＳ１００６において、ｅＮＢ２００は、スケジューリング情報を含むＭｓｇ  ２（ランダムアクセス応答）をＵＥ１００に送信する。スケジューリング情報は、ＵＥ１００に割り当てたＮＰＵＳＣＨ（Ｎａｒｒｏｗｂａｎｄ  Ｐｈｙｓｉｃａｌ  Ｕｐｌｉｎｋ  Ｓｈａｒｅｄ  Ｃｈａｎｎｅｌ）リソースを示す。ＵＥ１００は、Ｍｓｇ  ２を正常に受信するまで、自身の強化カバレッジレベルに対応する最大プリアンブル送信回数までＭｓｇ  １を複数回送信し得る。
【００４９】
ステップＳ１００７において、ＵＥ１００は、スケジューリング情報に基づいて、Ｍｓｇ  ３をｅＮＢ２００に送信する。Ｍｓｇ  ３は、ＲＲＣ  Ｃｏｎｎｅｃｔｉｏｎ  Ｒｅｑｕｅｓｔメッセージであってもよい。
【００５０】
ステップＳ１００８において、ｅＮＢ２００は、Ｍｓｇ  ４をＵＥ１００に送信する。
【００５１】
ステップＳ１００９において、ＵＥ１００は、Ｍｓｇ  ４の受信に応じてＲＲＣコネクティッドモードに遷移する。その後、ｅＮＢ２００は、特定した強化カバレッジレベルに基づいて、ＵＥ１００への繰り返し送信等を制御する。
【００５２】
（４）実施形態に係る動作
上述したように、３ＧＰＰリリース１４仕様のランダムアクセスプロシージャは、３ＧＰＰリリース１３仕様のランダムアクセスプロシージャに比べてアンカーキャリアの負荷を低減することができる。しかしながら、３ＧＰＰリリース１４仕様のランダムアクセスプロシージャにおいて、ＵＥ１００は、ＮＰＲＡＣＨ送信（プリアンブル送信）に用いるキャリアをランダムに選択する。このため、ＵＥ１００は、負荷が高い状態にあるキャリア又は一時的に使用不能なキャリア等を選択し得る。よって、３ＧＰＰリリース１４仕様のランダムアクセスプロシージャには、プリアンブル送信に用いるキャリアを適切に選択可能とする点において改善の余地がある。
【００５３】
（４．１）動作シナリオ
実施形態に係る動作シナリオについて説明する。図１０は、実施形態に係る動作シナリオを示す図である。図１０に示すように、ＵＥ１００（ＮＢ−ＩｏＴ  ＵＥ）は、ｅＮＢ２００のセルカバレッジのうち強化カバレッジ（ＣＥ）に居る。ｅＮＢ２００は、複数のキャリアを管理する。ｅＮＢ２００は、複数のキャリアのうち一部のキャリアについて負荷が高い状態にある又は一時的に使用不能であると判断し得る。ｅＮＢ２００は、そのようなキャリアについてアクセス規制（ＡＣＢ：Ａｃｃｅｓｓ  Ｃｌａｓｓ  Ｂａｒｒｉｎｇ）を行うと判断し得る。
【００５４】
（４．２）動作フロー
実施形態に係る動作フローについて説明する。図１１は、実施形態に係る動作フローを示す図である。ここでは、図９と重複する動作の説明を省略する。ＵＥ１００は、ｅＮＢ２００のセルカバレッジのうち強化カバレッジ（ＣＥ）に居る。ＵＥ１００は、ＲＲＣアイドルモードである。一例として、ｅＮＢ２００は、ＭＭＥからＵＥ１００宛てのページングメッセージ（Ｓ１ページングメッセージ）を受信したことに応じて、ＵＥ１００宛てのページングメッセージ（ＲＲＣページングメッセージ）を送信すると判断する。
【００５５】
図１１に示すように、ステップＳ１において、ｅＮＢ２００（送信部２１０）は、複数のキャリアに含まれる第１のキャリアを用いて、ページングメッセージをＵＥ１００に送信する。第１のキャリアは、ＵＥ１００のＩＭＳＩに基づいて選択されたキャリアであってもよい。第１のキャリアは、予め定められたアンカーキャリアであってもよい。ページングメッセージは、プリアンブル送信に用いる第２のキャリアの選択に用いるキャリア識別情報（チャネル識別情報）を含む。詳細は後述するが、キャリア識別情報は、少なくとも１つのキャリアを示す。キャリアは、キャリア番号、リソースブロック番号、及び周波数のうち少なくとも１つにより示される。キャリアの組み合わせからなるパターンが定義される場合、キャリア識別情報は、当該パターンを示してもよい。当該パターンは、仕様により規定されてＵＥ１００に事前設定されてもよい。当該パターンは、ｅＮＢ２００からＵＥ１００に設定されてもよい。
【００５６】
ステップＳ２において、ＵＥ１００（受信部１１０）は、第１のキャリアを用いてページングメッセージをｅＮＢ２００から受信する。
【００５７】
ステップＳ３において、ＵＥ１００（制御部１３０）は、複数のキャリアに含まれる第２のキャリアを選択する。具体的には、ＵＥ１００は、ページングメッセージに含まれるキャリア識別情報に基づいて、第２のキャリアを選択する。
【００５８】
ステップＳ４において、ＵＥ１００（送信部１２０）は、第２のキャリアを用いて、ｅＮＢ２００との接続を確立するためのランダムアクセス信号（ランダムアクセスプリアンブル）を送信する。ｅＮＢ２００（受信部２２０）は、第２のキャリアを用いてＵＥ１００からランダムアクセスプリアンブルを受信する。
【００５９】
このように、ｅＮＢ２００は、ページングメッセージ中のキャリア識別情報により、プリアンブル送信に用いる第２のキャリアを直接的に又は間接的に指定する。ＵＥ１００は、直接的に又は間接的に指定された第２のキャリアを用いてプリアンブル送信を行う。よって、ｅＮＢ２００は、負荷が高い状態にあるキャリア又は一時的に使用不能なキャリア等をＵＥ１００が選択しないよう制御することが可能である。ｅＮＢ２００は、負荷が低い状態にあるキャリアを優先的にＵＥ１００に選択させてもよい。したがって、プリアンブル送信に用いるキャリアを適切に選択可能とすることが可能である。
【００６０】
（４．３）ページングメッセージの具体例
ｅＮＢ２００からＵＥ１００に送信されるページングメッセージ（ＲＲＣページングメッセージ）の具体例について説明する。ページングメッセージは、当該ページングメッセージが宛てられた複数のＵＥ１００を示す複数の宛先識別子をさらに含む。このような複数の宛先識別子からなるリストは、ページングレコードリストと称されてもよい。宛先識別子は、ＩＭＳＩを含んでもよい。
【００６１】
一例として、ページングメッセージ中のキャリア識別情報は、複数の宛先識別子（ページングレコードリスト）に共通に適用される共通情報である。言い換えると、ページングメッセージ中のキャリア識別情報は、ページングメッセージが宛てられた複数のＵＥ１００に共通に適用される。
【００６２】
他の例として、ページングメッセージ中のキャリア識別情報は、複数の宛先識別子のそれぞれに個別に適用される専用情報である。言い換えると、ページングメッセージ中のキャリア識別情報は、ページングメッセージが宛てられた複数のＵＥ１００のそれぞれに個別に適用される。ページングメッセージにおいて、宛先識別子とキャリア識別情報とが１対１で設けられてもよい。図１１のステップＳ３において、ＵＥ１００は、自身の識別子に対応するキャリア識別情報（すなわち、ＵＥ１００に専用のキャリア識別情報）をページングメッセージの中から特定し、特定したキャリア識別情報に基づいて第２のキャリアを選択してもよい。
【００６３】
（４．４）キャリア識別情報の具体例
ページングメッセージ中のキャリア識別情報の具体例について説明する。
【００６４】
第１の例として、キャリア識別情報は、第２のキャリアとして用いるべき１つのキャリアを示す情報である。キャリア識別情報は、当該１つのキャリアのキャリア番号、当該１つのキャリアに対応するリソースブロックのリソースブロック番号、又は当該１つのキャリアの周波数を示す情報であってもよい。第１の例において、ＵＥ１００は、キャリア識別情報が示す１つのキャリアを第２のキャリアとして選択する（図１１のステップＳ３）。
【００６５】
第２の例として、キャリア識別情報は、第２のキャリアとして用いることが許容される複数のキャリアを示す情報である。キャリア識別情報は、当該複数のキャリアのキャリア番号のリスト、当該複数のキャリアに対応する複数のリソースブロックのリソースブロック番号リスト、又は当該複数のキャリアの周波数リストであってもよい。第２の例において、ＵＥ１００は、キャリア識別情報が示す複数のキャリアの中から第２のキャリアとして用いるキャリアを選択する（図１１のステップＳ３）。ＵＥ１００は、キャリア識別情報が示す複数のキャリアの中からランダムに第２のキャリアを選択してもよい。
【００６６】
第３の例として、キャリア識別情報は、第２のキャリアとして用いることが禁止される１又は複数のキャリアを示す情報である。キャリア識別情報の具体的な構成方法は、第１の例及び第２の例と同様である。第３の例において、ＵＥ１００は、キャリア識別情報が示す１又は複数のキャリア以外のキャリアの中から第２のキャリアとして用いるキャリアを選択する（図１１のステップＳ３）。ＵＥ１００は、キャリア識別情報が示す１又は複数のキャリア以外のキャリアの中からランダムに第２のキャリアを選択してもよい。
【００６７】
第３の例において、ｅＮＢ２００は、第２のキャリアとして用いることが許容される１又は複数のキャリアを示す情報を含むシステム情報（ＳＩＢ）をブロードキャストしてもよい。ＵＥ１００は、ＳＩＢにより示されるキャリア（利用可能なキャリア）のうち、キャリア識別情報が示す１又は複数のキャリア（利用禁止キャリア）以外のキャリアの中から第２のキャリアとして用いるキャリアを選択してもよい。
【００６８】
上述した第１の例乃至第３の例（第１の方式乃至第３の方式）のうち２以上の方式を組み合わせて実施してもよい。
【００６９】
上述した第１の例乃至第３の例（第１の方式乃至第３の方式）のうち１つの例を選択的に用いてもよい。ｅＮＢ２００は、第１の方式乃至第３の方式のうち１つの方式を示す情報をＵＥ１００に通知してもよい。このような情報は、ページングメッセージ又はＳＩＢに含まれてもよい。ＵＥ１００は、ｅＮＢ２００から通知された方式に応じてキャリア識別情報の内容を解釈する。
【００７０】
（４．５）動作シーケンスの一例
図１２は、実施形態に係る動作シーケンスの一例を示す図である。ｅＮＢ２００は、３つのキャリア（ｃａｒｒｉｅｒ  ＃１〜＃３）を管理する。ｅＮＢ２００は、３つのキャリアのうちキャリア＃３を第２のキャリアとして用いることが好ましいと判断し得る。
【００７１】
図１２に示すように、ｅＮＢ２００は、キャリア＃１を用いて、ページングメッセージ（Ｐａｇｉｎｇ）をＵＥ１００に送信する。キャリア＃１は、ＵＥ１００のＩＭＳＩに基づいて選択されたキャリアであってもよい。キャリア＃１は、予め定められたアンカーキャリアであってもよい。ページングメッセージは、プリアンブル送信に用いる第２のキャリアの選択に用いるキャリア識別情報を含む。図１２の例において、キャリア識別情報は、プリアンブル送信に用いる第２のキャリアとしてキャリア＃３を指定する情報（ＮＰＲＡＣＨ  ｏｎ  ｃａｒｒｉｅｒ  ＃３）である。ＵＥ１００は、ページングメッセージを受信する。ＵＥ１００は、ページングメッセージに含まれるキャリア識別情報に基づいて、キャリア＃３を第２のキャリアとして選択する。ＵＥ１００は、キャリア＃３を用いてプリアンブル送信（ＮＰＲＡＣＨ送信）を行う。
【００７２】
（４．６）変更例１
上述したようなプリアンブル送信は、競合ベース（ｃｏｎｔｅｎｔｉｏｎ−ｂａｓｅｄ）のプリアンブル送信を想定している。しかしながら、プリアンブル送信は、非競合ベース（Ｎｏｎ−ｃｏｎｔｅｎｔｉｏｎ−ｂａｓｅｄ）であってもよい。
【００７３】
変更例１において、ページングメッセージは、ランダムアクセス信号（ランダムアクセスプリアンブル）に適用するランダムアクセス信号パラメータをさらに含む。ランダムアクセス信号パラメータは、ページングメッセージ中の複数の宛先識別子のそれぞれに個別に適用される専用情報であってもよい。ページングメッセージにおいて、宛先識別子とランダムアクセス信号パラメータとが１対１で設けられてもよい。ランダムアクセス信号パラメータは、信号系列（プリアンブル系列）及び無線リソース（ＮＰＲＡＣＨリソース）のうち少なくとも１つを示す。
【００７４】
変更例１において、ＵＥ１００は、自身の識別子に対応するランダムアクセス信号パラメータをページングメッセージの中から特定し、特定したキャリア識別情報に基づいて信号系列（プリアンブル系列）及び無線リソース（ＮＰＲＡＣＨリソース）のうち少なくとも１つを決定する。ＵＥ１００は、第２のキャリアを用いて、ページングメッセージに含まれるランダムアクセス信号パラメータが適用されたランダムアクセスプリアンブルを送信する（図１１のステップＳ４）。これにより、第２のキャリアにおけるプリアンブル送信の衝突を回避することができる。
【００７５】
（４．７）変更例２
上述した実施形態において、１つのｅＮＢ２００が複数のキャリアを管理する一例を説明した。しかしながら、複数のキャリアは、複数のｅＮＢ２００に跨がって管理されてもよい。一例として、図１２において、キャリア＃１が第１のｅＮＢにより管理され、キャリア＃２及び＃３が第２のｅＮＢにより管理されているシナリオを想定する。
【００７６】
このようなシナリオにおいて、各ｅＮＢは、自身が管理しているキャリアにおける混雑度を示す情報を他のｅＮＢにＸ２インターフェイス上で通知してもよい。一例として、キャリア＃２及び＃３を管理する第２のｅＮＢは、キャリア＃２及び＃３のそれぞれの混雑度を示す混雑度情報（例えば、無線リソースの使用率）を第１のｅＮＢに通知してもよい。
【００７７】
各ｅＮＢは、自身が管理しているキャリアのうち、プリアンブル送信（ＮＰＲＡＣＨ送信）に用いることを推奨するキャリアを示す推奨キャリア情報を他のｅＮＢにＸ２インターフェイス上で通知してもよい。一例として、キャリア＃２及び＃３を管理する第２のｅＮＢは、プリアンブル送信に用いることを推奨するキャリアとして、キャリア＃３を示す情報を第１のｅＮＢに通知してもよい。
【００７８】
各ｅＮＢは、自身が管理しているキャリアのうち、プリアンブル送信（ＮＰＲＡＣＨ送信）に用いることを禁止するキャリアを示す禁止キャリア情報を他のｅＮＢにＸ２インターフェイス上で通知してもよい。一例として、キャリア＃２及び＃３を管理する第２のｅＮＢは、プリアンブル送信に用いることを禁止するキャリアとして、キャリア＃２を示す情報を第１のｅＮＢに通知してもよい。
【００７９】
混雑度情報、推奨キャリア情報、及び禁止キャリア情報のうち２以上の情報を組み合わせて用いてもよい。
【００８０】
第１のｅＮＢは、上述したような通知の送信を第２のｅＮＢに対してＸ２インターフェイス上で要求してもよい。第２のｅＮＢは、第１のｅＮＢからの要求の受信に応じて、上述したような通知を第１のｅＮＢに送信してもよい。要求は、通知の対象とするキャリアを示す情報を含んでもよい。要求は、混雑度情報、推奨キャリア情報、及び禁止キャリア情報のうちどの情報の送信を要求するかを示す情報を含んでもよい。
【００８１】
（４．８）比較例
上述した実施形態において、第２のキャリアの選択に用いるキャリア識別情報をページングメッセージに含める動作を説明した。このようなキャリア識別情報をページングメッセージに代えてシステム情報（ＳＩＢ）に含める動作を比較例として想定する。
【００８２】
比較例において、ｅＮＢ２００が周期的にブロードキャストするシステム情報にキャリア識別情報を含める。しかしながら、システム情報は送信周期が決まっており、システム情報を動的に変更することは難しいという問題がある。また、システム情報は、その内容を変更する前に、変更通知（ＳＩＢ  ｕｐｄａｔｅ）をＵＥ１００に対して行う必要がある。ＵＥ１００は変更通知を監視する必要があるため、ＵＥ１００の消費電力が増加するという問題がある。
【００８３】
これに対し、キャリア識別情報をページングメッセージに含めることにより、適切なＵＥ１００に対して適切なタイミングでキャリア識別情報を送信することができる。具体的には、キャリア識別情報をページングメッセージに含める方法は、より動的な制御（キャリア指定）が可能となり、且つ、ＵＥ１００の受信負荷（消費電力）を低減することが可能となる。
【００８４】
（その他の実施形態）
上述した実施形態において、ＵＥ１００がＮＢ−ＩｏＴ  ＵＥである一例を説明した。しかしながら、ＵＥ１００は、ｅＭＴＣ  ＵＥであってもよい。ＵＥ１００がｅＭＴＣ  ＵＥである場合、上述した実施形態に係る動作において、「キャリア」を「狭帯域（ＮＢ）」と読み替えてもよい。また、「ＮＰＲＡＣＨ」を「ＰＲＡＣＨ」と読み替えてもよい。また、ＵＥ１００は、通常のＬＴＥ  ＵＥであってもよい。ＵＥ１００が通常のＬＴＥ  ＵＥである場合、上述した実施形態に係る動作において、「キャリア」を「周波数」（キャリア周波数）と読み替えてもよい。
【００８５】
上述した実施形態において、キャリア識別情報を認識することができないレガシーＵＥの存在を考慮していなかった。レガシーＵＥは、ページングメッセージ中のキャリア識別情報を無視してもよい。レガシーＵＥは、予め定められたアンカーキャリア又はランダムに選択したキャリアを用いてプリアンブル送信を行なってもよい。
【００８６】
上述した実施形態において、ＵＥ１００がｅＮＢ２００のセルカバレッジのうち強化カバレッジ（ＣＥ）に居るシナリオを想定した。しかしながら、ＵＥ１００が強化カバレッジ（ＣＥ）に居ないシナリオ（すなわち、ＵＥ１００が通常のセルカバレッジ内に居るシナリオ）に対して、上述した実施形態に係る動作を用いてもよい。
【００８７】
ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。ＵＥ１００及びｅＮＢ２００が行う各処理を実行するためのプログラムを記憶するメモリ及びメモリに記憶されたプログラムを実行するプロセッサによって構成されるチップセットが提供されてもよい。
【００８８】
上述した実施形態において、移動通信システムとしてＬＴＥシステムを例示した。しかしながら、本発明はＬＴＥシステムに限定されない。ＬＴＥシステム以外の移動通信システム（例えば、第５世代移動通信システム）に、上述した実施形態に係る動作を適用してもよい。
【００８９】
本願は日本国特許出願第２０１７−０５６９３４号（２０１７年３月２３日出願）の優先権を主張し、その内容の全てが本願明細書に組み込まれている。
【図１】
2018173677.tif 000003
【図２】
2018173677.tif 000004
【図３】
2018173677.tif 000005
【図４】
2018173677.tif 000006
【図５】
2018173677.tif 000007
【図６】
2018173677.tif 000008
【図７】
2018173677.tif 000009
【図８】
2018173677.tif 000010
【図９】
2018173677.tif 000011
【図１０】
2018173677.tif 000012
【図１１】
2018173677.tif 000013
【図１２】
2018173677.tif 000014
【国際調査報告】
2018173677.tif 000015
2018173677.tif 000016
2018173677.tif 000017
2018173677.tif 000018